(57)【特許請求の範囲】
【請求項１】
複数のアンテナを有すると共に無線部によって測定される複数の基地局から受信した受信信号強度に応じてアンテナ切替部が前記複数のアンテナを切り替える携帯端末であって、
アンテナの受信信号強度及び位置登録した基地局のＩＤを記憶する記憶部と、
現在通信中の第１アンテナの通信品質が劣化したあとに、前記無線部に測定させた前記第１アンテナの受信信号強度を前記記憶部に記憶させ、前記アンテナ切替部に前記第１アンテナ以外のアンテナへ切り替えさせると共に前記無線部に当該アンテナの受信信号強度を測定させ、最も受信信号強度の高い第２アンテナの受信信号強度が、前記記憶部が記憶する前記第１アンテナの受信信号強度以上かつ前記記憶部が記憶する前記位置登録した基地局のＩＤと前記第２アンテナが受信する信号の基地局のＩＤが一致すると判定された場合には、前記第２アンテナを通信に使用する制御部と、
を具備することを特徴とする携帯端末。
【請求項２】
前記制御部は、制御チャネルを介して受信する信号に基づいて前記第１アンテナ以外のアンテナの受信信号強度を前記無線部に測定させると共に当該信号が示す基地局のＩＤと前記記憶部が記憶する前記位置登録した基地局のＩＤが一致するか否か判定することを特徴とする請求項１記載の携帯端末。
【請求項３】
前記制御部は、前記第１アンテナが受信する信号のＦＥＲ（Frame Error Rate）が所定のしきい値を越えた場合に、前記第１アンテナの通信品質が劣化したと判断することを特徴とする請求項１また２記載の携帯端末。
【請求項４】
複数のアンテナの中から測定した複数の基地局から受信した受信信号強度に応じて所定のアンテナに切り替える携帯端末のダイバーシチ制御方法であって、
現在通信中の第１アンテナの通信品質が劣化したあとに、前記無線部に測定させた第１アンテナの受信信号強度及び位置登録した基地局のＩＤを記憶し、前記第１アンテナ以外のアンテナへ切り替えると共に当該アンテナの受信信号強度を測定し、最も受信信号強度の高い第２アンテナの受信信号強度が記憶された前記第１アンテナの受信信号強度以上かつ記憶された前記位置登録した基地局のＩＤと前記第２アンテナが受信する信号の基地局のＩＤが一致する場合には、前記第２アンテナを通信に使用する
ことを特徴とする携帯端末のダイバーシチ制御方法。
【発明の詳細な説明】
【技術分野】
【０００１】
本発明は、携帯端末及び携帯端末のダイバーシチ制御方法に関する。
【背景技術】
【０００２】
下記特許文献１には、通信チャネルでないチャネル（制御チャネル）を介して受信する信号の信号レベルを検出し、アンテナを切り換えることによって、通信チャネルの信号に基づく音声に途切れが発生することなくアンテナを切り替えすることが出来る携帯電話装置及び制御方法が開示されている。
この携帯電話装置では、制御チャネルと接続するタイミングで、制御チャネルの信号レベルを検出し、この検出結果に基づいて空間ダイバーシティアンテナの切り替えを制御する。上記タイミングは、通信チャネルを介した信号の送受信動作に関与しないタイミングである為、アンテナを切り替えても音声の途切れが生じない。
【特許文献１】特開２０００−１９６５１３号公報
【発明の開示】
【発明が解決しようとする課題】
【０００３】
ところで、上記従来技術は、一つの周波数帯域を短時間ずつ交代で複数チャネルに割り当てるＴＤＭＡ（Time Division Multiple Access）方式に基づく技術であり、制御チャネルを介して受信する信号の受信信号強度（上記信号レベルに相当）に基づいて、アンテナの切り替え行っているが、複数の基地局から信号を受信できる状況では、接続中の基地局の制御チャネルと接続中ではない基地局の制御チャネルを誤認する場合がある。
【０００４】
本発明は、上述した事情を鑑みたものであり、複数の基地局から信号を受信できる状況でも、確実なアンテナ切り替えを実現する携帯端末を提供することを目的とする。
【課題を解決するための手段】
【０００５】
上記目的を達成するために、以下の手段を採用した。
本発明に係る携帯端末は、複数のアンテナを有すると共に無線部によって測定される複数の基地局から受信した受信信号強度に応じてアンテナ切替部が前記複数のアンテナを切り替える携帯端末であって、アンテナの受信信号強度及び位置登録した基地局のＩＤを記憶する記憶部と、現在通信中の第１アンテナの通信品質が劣化したあとに、前記無線部に測定させた前記第１アンテナの受信信号強度を前記記憶部に記憶させ、前記アンテナ切替部に前記第１アンテナ以外のアンテナへ切り替えさせると共に前記無線部に当該アンテナの受信信号強度を測定させ、最も受信信号強度の高い第２アンテナの受信信号強度が、前記記憶部が記憶する前記第１アンテナの受信信号強度以上かつ前記記憶部が記憶する前記位置登録した基地局のＩＤと前記第２アンテナが受信する信号の基地局のＩＤが一致すると判定された場合には、前記第２アンテナを通信に使用する制御部と、を具備することを特徴とする。
【０００６】
前記制御部は、制御チャネルを介して受信する信号に基づいて前記第１アンテナ以外のアンテナの受信信号強度を前記無線部に測定させると共に当該信号が示す基地局のＩＤと前記記憶部が記憶する前記位置登録した基地局のＩＤが一致するか否か判定することを特徴とする。
【０００７】
前記制御部は、前記第１アンテナが受信する信号のＦＥＲ（Frame Error Rate）が所定のしきい値を越えた場合に、前記第１アンテナの通信品質が劣化したと判断することを特徴とする。
【０００８】
本発明に係るダイバーシチ制御方法は、複数のアンテナの中から測定した複数の基地局から受信した受信信号強度に応じて所定のアンテナに切り替える携帯端末のダイバーシチ制御方法であって、現在通信中の第１アンテナの通信品質が劣化したあとに、前記無線部に測定させた第１アンテナの受信信号強度及び位置登録した基地局のＩＤを記憶し、前記第１アンテナ以外のアンテナへ切り替えると共に当該アンテナの受信信号強度を測定し、最も受信信号強度の高い第２アンテナの受信信号強度が記憶された前記第１アンテナの受信信号強度以上かつ記憶された前記位置登録した基地局のＩＤと前記第２アンテナが受信する信号の基地局のＩＤが一致する場合には、前記第２アンテナを通信に使用する
ことを特徴とする。
【発明の効果】
【０００９】
本発明によれば、前記制御部は、現在通信中の第１アンテナの通信品質が劣化する場合に、前記アンテナ切替部に第１アンテナ以外のアンテナのへ切り替えさせると共に無線部に当該アンテナの受信信号強度を測定させ、最も受信信号強度が高い第２アンテナの受信信号強度が記憶部が記憶する第１アンテナの受信信号強度以上かつ前記記憶部が記憶する位置登録している基地局のＩＤと第２アンテナが受信する信号の基地局のＩＤが一致すると判定した場合には、前記第２アンテナを通信に使用する。よって、複数の基地局から信号を受信できる状況でも、確実なアンテナ切り替えを実現することが出来る。
【発明を実施するための最良の形態】
【００１０】
以下、図面を参照して、本発明の一実施形態について説明する。本実施形態は、ＰＨＳ（Personal Handy-phone System）端末に関する。
【００１１】
図１は、本実施形態に係るＰＨＳ端末Ａを備える無線通信システムを示す概略構成図である。なお、本ＰＨＳ端末Ａは、本発明における携帯端末である。
ＰＨＳ端末Ａは、時分割多重接続（ＴＤＭＡ：Time Division Multiple Access）方式及び時分割複信（ＴＤＤ：Time Division Duplex）方式を多元接続技術として用いて通信を行うものである。また、このＰＨＳ端末Ａは、複数のアンテナを有し、受信信号強度の優れたアンテナを選択的に使用するダイバーシチ機能を備える。
基地局Ｂ，Ｃ，Ｄ，Ｅは、ＰＨＳ端末Ａと通信することが可能なＰＨＳ端末Ａの近辺に位置するＰＨＳ用の基地局であり、ＰＨＳ端末Ａ同様にＴＤＭＡ及びＴＤＤ方式に基づいて通信を行う。なお、本ＰＨＳ端末Ａは、これら基地局Ｂ〜Ｅの中の基地局Ｂに位置登録を行い、基地局Ｂと接続する。
【００１２】
次に、ＰＨＳ端末Ａの機能構成を、図２のＰＨＳ端末Ａの機能ブロック図を参照して説明する。
ＰＨＳ端末Ａは、図２に示すように、第１アンテナ１、第２アンテナ２、アンテナ切替部３、無線部４、ベースバンド部５、送受話部６、記憶部７及び制御部８から構成されている。
【００１３】
第１アンテナ１及び第２アンテナ２は、基地局Ｂとの間で各種信号を送受信する。この第１アンテナ１及び第２アンテナ２は、制御部８の制御に基づきアンテナ切替部３によって選択的にどちらか一方に切り替えられ、基地局Ｂとの通信に使用される
アンテナ切替部３は、制御部８の制御に基づいて、選択的に第１アンテナ１及び第２アンテナ２のどちらか一方へ切り替える。
【００１４】
無線部４は、増幅器等の回路から構成され、第１アンテナ１または第２アンテナ２を介して基地局Ｂとの信号を送受信する。また、この無線部４は、制御部８の制御に基づいて受信した信号のＲＳＳＩ（Received Signal Strength Indicator）を測定し、測定結果を制御部８に出力する。
ベースバンド部５は、制御部８の制御に基づいて無線部４が基地局と送受信する信号ののデジタル変復調を行う。また、このベースバンド部５は、送受話部６と送受信する音声信号の符号化／複合化を行う。
【００１５】
送受話部６は、マイク及びスピーカ等から構成され、制御部８の制御に基づいて、音声の入出力を行う。
記憶部７は、位置登録した基地局ＢのＣＳ（Cell Station）‐ＩＤを記憶する。また、この記憶部７は、無線部４によって測定される第１アンテナ１及び第２アンテナ２のＲＳＳＩを記憶する。なお、上記ＣＳ‐ＩＤは、基地局Ｂ〜Ｅを識別する為の識別子である。
【００１６】
制御部８は、ＭＰＵ（Micro Processing Unit）、ＲＯＭ及びＲＡＭ（Random Access Memory）から構成される内部メモリ並びに上記アンテナ切替部３、無線部４、ベースバンド部５、送受話部６及び記憶部７と各種信号の入出力をそれぞれと行うインタフェース回路等から構成されている。この制御部８は、上記ＲＯＭに記憶された制御プログラム、第１アンテナ１及び第２アンテナ２が受信する信号及び図示しない操作部が受け付ける操作指示に基づいてＰＨＳ端末Ａの全体動作を制御する。この制御部８の制御処理の詳細については、以下にＰＨＳ端末Ａの動作として説明する。
【００１７】
次に、上記構成のＰＨＳ端末Ａの動作について、図３及び図４を参照して詳しく説明する。なお、図３は、本ＰＨＳ端末Ａを備える無線通信システムにおけるＰＨＳ端末Ａ‐基地局Ｂ〜Ｅ間のＴＤＭＡ−ＴＤＤ方式の通信を示す模式図であり、図４は本ＰＨＳ端末Ａの動作を示すフローチャートである。
【００１８】
本ＰＨＳ端末Ａ及び基地局Ｂ,Ｃ,Ｄ,Ｅは、一般的なＰＨＳ端末及びその基地局と同様に、ＴＤＭＡ−ＴＤＤ方式を多元接続技術として通信を行う。まず、図３を参照して、ＰＨＳ端末Ａ‐基地局Ｂ〜Ｅ間のＴＤＭＡ−ＴＤＤ方式の通信について説明する。
【００１９】
このＴＤＭＡ−ＴＤＤ方式に基づくＰＨＳ端末Ａ‐基地局Ｂ〜Ｅ間の通信では、１周波数帯域あたりの多重化数は４であり、１周波数帯域を時分割による最小単位であるスロットのスロット長は０．６２５ｓｅｃｍである。なお、図３における各スロットに記載する「Ｃ」、「Ｔ１」、「Ｔ２」及び「Ｔ３」は各スロットに割り当てられたチャネルを示し、「Ｃ」は制御チャネルを示し、「Ｔ１」、「Ｔ２」及び「Ｔ３」は通信チャネルを示す。
【００２０】
また、８つのスロットから構成されるフレームのフレーム長は５ｍｓｅｃであり、1フレームの前半２．５ｍｓｅｃは、基地局Ｂ〜ＥからＰＨＳ端末Ａの通信に使用され、後半２．５ｍｓｅｃはＰＨＳ端末Ａから基地局Ｂ〜Ｅの通信に使用される。なお基地局Ｂ〜Ｅは、通信においてフレーム単位で同期を行う。そして、複数フレームによって構成されるマルチフレームのマルチフレーム長は、１００ｍｓｅｃとしている。
【００２１】
基地局Ｂ〜Ｅはマルチフレーム毎に制御チャネルを介してＢＣ（Broadcast）信号を出力し、各基地局Ｂ〜Ｅの識別子であるＣＳ‐ＩＤをＰＨＳ端末Ａに報知している。図３における「ＢＣ１」、「ＢＣ２」、「ＢＣ３」及び「ＢＣ４」は、基地局Ｂ〜Ｅが出力するＢＣ信号を示す。ＰＨＳ端末Ａは、ＢＣ信号によって報知されるＣＳ‐ＩＤを使用して、ハンドオーバ及び位置登録を行う。なお、図３において各基地局Ｂ〜Ｅが、制御チャネルに使用する周波数帯域は一波とする。
【００２２】
各基地局Ｂ〜Ｅは、出力するＢＣ信号が他の基地局Ｂ〜ＥのＢＣ信号と衝突しないように出力するタイミングを割り当てないとならないが、基地局Ｂ〜Ｅ間の通信を行わない場合には、各基地局が出力するＢＣ信号の衝突を完全に防ぐことが出来ない。
【００２３】
その為、図３の基地局Ｂと基地局Ｄのように、ＢＣ信号が同時に出力される場合、ＰＨＳ端末では、ＢＣ信号に含まれるＣＳ‐ＩＤを参照しない限りどちらの基地局から出力されたＢＣ信号であるか判断することが出来ない。よって、ＰＨＳ端末Ａのアンテナ切り替えにおいて、ＢＣ信号のＲＳＳＩを検出するだけでは、確実なアンテナ切り替えを行うことが出来ない。
本ＰＨＳ端末Ａでは、このような事情を考慮して、第１アンテナ１及び第２アンテナ２のＲＳＳＩ及びＢＣ信号のＣＳ‐ＩＤを参照して、アンテナ切り替えを行う。
【００２４】
すなわち、本ＰＨＳ端末Ａの制御部８が第１アンテナ１を介して基地局Ｂと通信を行っている状況において、基地局Ｂから受信するＢＣ信号に含まれる基地局ＢのＣＳ‐ＩＤを記憶部７に記憶させる（ステップＳ１）。なお、ＰＨＳ端末Ａは、基地局Ｂと通信チャネル「Ｔ２」を介して信号を送受信するものとする。
【００２５】
制御部８は、常に第１アンテナ１が基地局Ｂから「Ｔ２」が受信する信号のＣＲＣ（Cyclic Redundancy Check）エラーを検出し、ＦＥＲ（Frame Error Rate）が５％以上になっているか否か判定する（ステップＳ２）。上記ＦＥＲとは、ある一定期間にＣＲＣエラーが発生するフレームの割合を示す。ステップＳ２において５％をしきい値として判定しているが、これは一例であり、５％以外の値でもよい。
【００２６】
制御部８は、ステップＳ２において『ＮＯ』と判定した場合は、すなわちＦＥＲが５％未満である場合には、第１アンテナ１を介して基地局Ｂから受信する信号のＣＲＣエラーの検出を継続する。
制御部８は、ステップＳ２において『ＹＥＳ』と判定した場合は、すなわちＦＥＲが５％以上であると判定する場合は、無線部４に測定させた第１アンテナ１のＲＳＳＩを記憶部に記憶させ（ステップＳ３）、基地局ＢからＢＣ信号を受信するスロットで第２アンテナ２のＲＳＳＩを測定する為にアンテナ切替部３に第１アンテナ１から第２アンテナ２へ切り替えさせる（ステップＳ４）。
【００２７】
制御部８は、第２アンテナ２が基地局Ｂから受信するＢＣ信号のＲＳＳＩを無線部４に測定させ、その測定結果に基づいて第２アンテナ２のＲＳＳＩが記憶部７が記憶する第１アンテナ１のＲＳＳＩより高いか否か判定し（ステップＳ５）、ステップＳ５において『ＮＯ』と判定する場合、すなわち第１アンテナ１のＲＳＳＩの方が高い場合は、第２アンテナ２への切り替えを行わず第１アンテナ１によって継続して通信を行う（ステップＳ６）。
【００２８】
制御部８は、ステップＳ５において『ＹＥＳ』と判定する場合、すなわち第２アンテナ２のＲＳＳＩの方が高い場合は、記憶部７が記憶する基地局ＢのＣＳ‐ＩＤと第２アンテナ２が受信したＢＣ信号のＣＳ‐ＩＤが一致するか否か判定し（ステップＳ７）、ステップＳ７において『ＹＥＳ』と判定する場合、すなわちＣＳ‐ＩＤが一致する場合は、直近のＰＨＳ端末Ａから基地局Ｂへの送信スロットで第２アンテナ２に切り替える（ステップＳ８）。すなわち、ステップＳ８において、図３に示すＢＣ１のＢＣ信号に基づいて第２アンテナ２の受信信号強度を測定した場合には、ＢＣ１の直後の「ＰＨＳ端末Ａ→基地局Ｂ」の「Ｔ２」のタイミングで、第２アンテナ２に切り替える。制御部８は、ステップＳ７において『ＮＯ』と判定する場合、すなわちＣＳ‐ＩＤが一致しない場合は、ステップＳ３の処理に戻る。
【００２９】
次に、上記図４の動作の変形例について、図５及び図６を参照して説明する。図５は、本ＰＨＳ端末Ａの動作の変形例を示すフローチャートであり、図６は、変形例に係る動作のアンテナのＲＳＳＩの測定タイミングを示す図である。
【００３０】
本ＰＨＳ端末Ａの制御部８が、第１アンテナ１を介して基地局Ｂと通信を行っている状況において、上記ステップＳ１と同様に制御部８は、基地局Ｂから受信するＢＣ信号に含まれる基地局ＢのＣＳ‐ＩＤを記憶部７に記憶させる（ステップＳ９）。なお、ＰＨＳ端末Ａは、基地局Ｂと通信チャネル「Ｔ２」を介して信号を送受信するものとする。
そして、制御部８は、常に第１アンテナ１が基地局Ｂから「Ｔ２」が受信する信号のＣＲＣ（Cyclic Redundancy Check）エラーを検出し、ＦＥＲが５％以上になっているか否か判定する（ステップＳ１０）。このステップＳ１０における、５％もステップＳ２と同様に、一例である。
【００３１】
制御部８は、ステップＳ１０において『ＮＯ』と判定した場合は、すなわちＦＥＲが５％未満である場合には、第１アンテナ１を介して基地局Ｂから受信する信号に基づいてＣＲＣエラーの検出を継続する。
【００３２】
制御部８は、ステップＳ１０において『ＹＥＳ』と判定した場合は、すなわちＦＥＲが５％以上であると判定する場合は、基地局ＢのＢＣ信号を受信するスロットで無線部４に測定させた第１アンテナ１のＲＳＳＩを記憶部７に記憶させ（ステップＳ１１）、ＢＣ信号の受信スロット中に第２アンテナ２のＲＳＳＩを測定する為にアンテナ切替部３に第１アンテナ１から第２アンテナ２へ切り替えさせ（ステップＳ１２）、第２アンテナ２が受信するＢＣ信号のＲＳＳＩを無線部４に測定させる。そして、制御部８は、ステップ１２における第２アンテナ２への切り替えによりＣＲＣエラーが発生するか否か判定する（ステップＳ１３）。なお、制御部８は、ＢＣ信号の受信スロットが終了するとアンテナ切替部に、第１アンテナ１へ切り替えさせる。
【００３３】
図６に示すように、ＢＣ信号の受信スロット中に第１アンテナ１及び第２アンテナ２のＲＳＳＩを測定する。その為、ＢＣ信号の受信中に第１アンテナ１から第２アンテナ２へ切り替えを行う必要があり、第１アンテナ１から第２アンテナ２へ切り替えることで受信したＢＣ信号にＣＲＣエラーが発生する可能性がある。その為、ステップＳ１３において第２アンテナ２へ切り替えることでＣＲＣエラーが発生するか否か判定を行う。
【００３４】
制御部８は、ステップ１３において『ＹＥＳ』と判定する場合、すなわちＣＲＣエラーが発生した場合は、無線部４に測定させた第２アンテナ２のＲＳＳＩを記憶部に記憶させる（ステップＳ１４）。
制御部８は、記憶部７が記憶する第１アンテナ１のＲＳＳＩと第２アンテナ２のＲＳＳＩを比較し、第２アンテナ２のＲＳＳＩが第１アンテナ１のＲＳＳＩより高いか否か判定し（ステップＳ１５）、『ＮＯ』と判定する場合、すなわち第１アンテナ１のＲＳＳＩの方が高い場合は、第２アンテナ２への切り替えを行わず第１アンテナ１によって継続して通信を行う（ステップＳ１６）。
【００３５】
制御部８は、ステップＳ１５において『ＹＥＳ』と判定する場合は、すなわち第２アンテナ２のＲＳＳＩの方が高い場合は、次に基地局ＢからＢＣ信号を受信するタイミングでアンテナ切替部３に第１アンテナ１から第２アンテナ２へ切り替えさせ（ステップＳ１７）、記憶部７が記憶する基地局ＢのＣＳ‐ＩＤと第２アンテナ２が受信したＢＣ信号のＣＳ‐ＩＤが一致するか否か判定する（ステップＳ１８）。
【００３６】
制御部８は、ステップＳ１８において『ＹＥＳ』と判定する場合、すなわちＣＳ‐ＩＤが一致する場合は、直近のＰＨＳ端末Ａから基地局Ｂへの送信スロットで第２アンテナ２に切り替え（ステップＳ１９）、ステップＳ１８において『ＮＯ』と判定する場合、すなわちＣＳ‐ＩＤが一致しない場合は、ステップＳ１１の処理に戻る。
【００３７】
制御部８は、ステップＳ１３において『ＮＯ』と判定する場合、すなわちＣＲＣエラーが発生しない場合は、無線部４によって測定された第２アンテナ２のＲＳＳＩが記憶部７が記憶する第１アンテナ１のＲＳＳＩより高いか否か判定し（ステップＳ２０）、『ＮＯ』と判定する場合、すなわち第１アンテナ１のＲＳＳＩの方が高い場合は、第２アンテナ２への切り替えを行わず第１アンテナ１によって継続して通信を行う（ステップＳ２１）。
【００３８】
制御部８は、ステップＳ２０において『ＹＥＳ』と判定する場合、すなわち第２アンテナ２のＲＳＳＩの方が高い場合は、記憶部７が記憶する基地局ＢのＣＳ‐ＩＤと第２アンテナ２が受信したＢＣ信号のＣＳ‐ＩＤが一致するか否か判定し（ステップＳ２２）、『ＹＥＳ』と判定する場合、すなわちＣＳ‐ＩＤが一致する場合は、直近のＰＨＳ端末Ａから基地局Ｂへの送信スロットで第２アンテナ２に切り替え（ステップＳ２３）、ステップＳ２２において『ＮＯ』と判定する場合、すなわちＣＳ‐ＩＤが一致しない場合は、ステップＳ１１の処理に戻る。
【００３９】
以上説明したように、本実施形態によれば、図４及び図5のフローチャートに示すように、基地局ＢのＢＣ信号の受信スロットで通信中の第１アンテナ１から第２アンテナ２に切り替え、この第２アンテナ２が受信するＢＣ信号に基づいて、ＲＳＳＩを測定すると共にＣＳ‐ＩＤを取得し、第１アンテナ１のＲＳＳＩより第２アンテナ２のＲＳＳＩが高い場合かつ第２アンテナ２が受信したＢＣ信号のＣＳ‐ＩＤが記憶部７が記憶する基地局ＢのＣＳ‐ＩＤと一致する場合に第２アンテナ２に切り替える為、複数の基地局から信号を受信出来る状況でも、確実なアンテナ切り替えを実現することが出来る。
【００４０】
以上、本発明の一実施形態について説明したが、本発明は上記実施形態に限定されることなく、例えば以下のような変形が考えられる。
【００４１】
（１）上記実施形態では、第１アンテナ１と第２アンテナ２を比較し、最良のアンテナを選択したが、本発明はこれに限定されない。
例えば、本ＰＨＳ端末Ａに３本以上のアンテナを具備させ、そのアンテナの中から最良のアンテナを選択するようにしてもよい。
【図面の簡単な説明】
【００４２】
【図１】本発明の一実施形態に係るＰＨＳ端末Ａを備える無線通信システムを示す概略構成図である。
【図２】本発明の一実施形態に係るＰＨＳ端末Ａの機能ブロック図である。。
【図３】本発明の一実施形態に係るＰＨＳ端末Ａを備える無線通信システムにおけるＰＨＳ端末Ａ‐基地局Ｂ〜Ｅ間のＴＤＭＡ−ＴＤＤ方式の通信を示す模式図。
【図４】本発明の一実施形態にＰＨＳ端末Ａの動作を示すフローチャートである。
【図５】本発明の一実施形態に係るＰＨＳ端末Ａの動作の変形例を示すフローチャートである。
【図６】本発明の一実施形態に係るＰＨＳ端末Ａの変形例に係る動作のアンテナのＲＳＳＩの測定タイミングを示す図である
【符号の説明】
【００４３】
Ａ…ＰＨＳ端末、Ｂ，Ｃ，Ｄ，Ｅ…基地局、１…第１アンテナ、２…第２アンテナ、３…アンテナ切替部、４…無線部、５…ベースバンド部、６…送受話部、７…記憶部、８…制御部
【図１】
0004870057.tif 000002
【図２】
0004870057.tif 000003
【図３】
0004870057.tif 000004
【図４】
0004870057.tif 000005
【図５】
0004870057.tif 000006
【図６】
0004870057.tif 000007